(57)【要約】      （修正有）【課題】容易にかつ確実に適正メダルと不適正メダルの識別できるメダルおよびメダル選別装置を提供する。【解決手段】メダルは、略「Ｃ」の字形の穴を３個または略「の」の字形の穴２個をメダルの中心に対称に有し、メダル選別装置は、５円硬貨状のように単純な穴開ありメダルもしくは百円硬貨状のように穴無しメダルなどと容易に見分けられる光学的選別手段を有することを特徴とする。【選択図】図３
0003152869.tif 000002
【実用新案登録請求の範囲】
【請求項１】
投入されたメダルの中から適正なメダルを選別して不適正なメダルを排出するための識別手段として、略「Ｃ」の字形の穴を３個または略「の」の字形の穴２個をメダルの中心に対称に設けたことを特徴とするメダル選別装置。
【請求項２】
投入されたメダルの中から適正なメダルを選別して不適正なメダルを排出するための識別手段として、略「Ｃ」の字形の穴を３個または略「の」の字形の穴２個をメダルの中心に対称に設けたことを特徴とする請求項１のメダル選別装置に使用するところの略「Ｃ」の字形の穴を３個または略「の」の字形の穴２個をメダルの中心に対称に設けたことを特徴とする遊戯用メダル。
【考案の詳細な説明】
【技術分野】
【０００１】  本考案は、雀球やパチンコスロット、スロットマシン等の遊技機、あるいは、自動販売機のように、メダル（トークン等の遊技媒体を含む）やコイン（メダルと総称する）を使用する機器（遊技機等と総称する）に用いられるメダル選別装置およびそのメダルに関する。
【背景技術】
【０００２】  雀球やパチンコスロット、スロットマシン等の遊技機には、図５に示す如く、メダル投入口２２から遊技機筐体２０内に投入されたメダル１２のうち、厚みや重さや外周のギザギザの有無等に基づいて不良メダルを選別したり、投入枚数を計数して法定枚数に達したことを検知するためのメダル選別装置（メダルセレクタとも称する）３０が備えられている（特許文献１参照）。【０００３】
【特許文献１】特開平１０−１７２０２０号公報
【考案が解決しようとする課題】
【０００４】  この従来装置においては、上記メダルセレクタにおいては、メダル１２の通過の不正を検出する制御が複雑になるだけでなく、制御の誤動作も多く、又、高価であった。
【０００５】  また、従来、他店舗のメダルと識別する方法としては、百円硬貨のように外周にギザを設ける方法や五円硬貨のように中心に穴を明ける方法などが一般的であった。
【０００６】  しかしながら、これらの穴やギザを設ける方法に対しては、容易に疑メダルを作成することが出来るなど選別手段としては、十分に機能していなかった。
【０００７】  したがって、容易にかつ確実に適正メダルと不適正メダルの識別できるメダルおよびメダル選別装置を提供することが遊戯業界を中心に解決すべき課題として上げられている。
【課題を解決するための手段】
【０００８】  課題を解決するための手段として、本考案によるメダル選別装置は、投入されたメダルの中から適正なメダルを選別して不適正なメダルを排出するための識別手段として、略「Ｃ」の字形の穴を３個または略「の」の字形の穴２個をメダルの中心に対称に設けたことによってこの課題を解決した。
【０００９】  本考案によるメダル選別装置に使用するメダルは、適正なメダルを選別して不適正なメダルを排出するための識別手段として、略「Ｃ」の字形の穴を３個または略「の」の字形の穴２個をメダルの中心に対称に設けたものである。
【００１０】  そして、これらの２個または３個の穴は、それぞれ２個ないし２個の穴または３個ないし６個の穴として、光学的に読み取ることによって、穴なした単純な穴ありと識別できるようにした。
【考案の効果】
【００１１】  本考案のメダルは、上述のように略「Ｃ」の字形の穴を３個または略「の」の字形の穴２個をメダルの中心に対称に設けることによって、穴明もしくは穴無と容易に見分けられる方法で光学的に選別できるようにしたことにより、穴明もしくは穴無と容易に見分けることが出来る。
【考案を実施するための最良の形態】
【００１２】  図３および図４に示すように略「Ｃ」の字形の穴を３個または略「の」の字形の穴２個をメダルの中心に対称に設けることによって、穴明もしくは穴無と容易に見分けられる方法で光学的に選別できるようにした。
【実施例】
【００１５】  「請求項１」の実施形態の例として、図３、および図４に示すように略「Ｃ」の字形の穴を３個または略「の」の字形の穴２個をその中心に対称に設けたメダルを使用して、その放射線方向の穴の数を計測することにした。【００１６】  「請求項２」の実施形態の例として、図３、図４に示すように、略「Ｃ」の字形の穴を３個または略「の」の字形の穴２個をその中心に対称に設けたメダルとした。【００１７】  図１は、本考案で不適正として扱うところの穴なしメダルであり、図２は、本考案で不正として扱うところの穴あきメダルである。【００１８】  図３は、本考案で適正として扱うところの「Ｃ」の字３個穴のメダルであり、図４は、本考案で適正として扱うところの「の」の字２個穴のメダルである。
【産業上の利用可能性】
【００２４】  本考案の目的は、上記の課題を解消して、メダル選別効率性が高く、しかも低コストで実現できるメダル選別装置を提供することである。したがって、産業上の運搬作業面で広く利用できる場面を有している。
【図面の簡単な説明】
【００２５】
【図１】本考案で不適正とする穴なしメダルの３面図である。
【図２】本考案で不適正とする穴明きメダルの３面図である。
【図３】本考案で適正とする「Ｃ」の字３個穴のメダルの３面図である。
【図４】本考案で適正とする「の」の字２個穴のメダルの３面図である。
【図５】メダル選別装置
【符号の説明】
【００２６】１１メダル
２１メダル
３１メダル
４１メダル
２２穴
３２穴
４２穴
【図１】
0003152869.tif 000003
【図２】
0003152869.tif 000004
【図３】
0003152869.tif 000005
【図４】
0003152869.tif 000006
【図５】
0003152869.tif 000007
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
投入されたメダルの中から適正なメダルを選別して不適正なメダルを排出するための識別手段として、略「Ｃ」の字形の穴を３個または略「の」の字形の穴２個をメダルの中心に対称に設けたことにより、５円硬貨状のように単純な穴明ありメダルもしくは百円硬貨状のように穴無しメダルなどと容易に見分けられる方法として光学的に選別できるようにしたことを特徴とするメダル選別装置。
【請求項２】
投入されたメダルの中から適正なメダルを選別して不適正なメダルを排出するための識別手段として、略「Ｃ」の字形の穴を３個または略「の」の字形の穴２個をメダルの中心に対称に設けたことを特徴とする請求項１のメダル選別装置に使用するところの略「Ｃ」の字形の穴を３個または略「の」の字形の穴２個をメダルの中心に対称に設けたことを特徴とする遊戯用メダル。
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
投入されたメダルの中から適正なメダルを選別して不適正なメダルを排出するための識別手段として、略「Ｃ」の字形の穴を３個または略「の」の字形の穴２個をメダルの中心に対称に設けたことにより、５円硬貨状のように単純な穴明ありメダルもしくは百円硬貨状のように穴無しメダルなどと容易に見分けられる光学的選別手段を有することを特徴とするメダル選別装置。
【請求項２】
投入されたメダルの中から適正なメダルを選別して不適正なメダルを排出するための識別手段として、略「Ｃ」の字形の穴を３個または略「の」の字形の穴２個をメダルの中心に対称に設けたことを特徴とする請求項１のメダル選別装置に使用するところの略「Ｃ」の字形の穴を３個または略「の」の字形の穴２個をメダルの中心に対称に設けたことを特徴とする遊戯用メダル。